(57)【要約】【課題】  本発明は、シートＳに画像を形成する装置本体１０と、装置本体１０に対して装着されて画像形成後のシートの後処理を行う後処理ユニット２０とを備え、装置本体１０に、本体側換気対象Ａを換気するためのファン３０を備えた画像形成装置１００に関し、ファンの追加を伴うことなく本体側換気対象Ａ及びユニット側換気対象Ｂの両方を充分に換気して冷却することができる画像形成装置を提供する点にある。【解決手段】  装置本体１０に、ファン３０に対して本体側換気対象Ａと並列的に接続された本体側通風部４１を備え、後処理ユニット２０に、後処理ユニット装着状態において本体側通風部４１に接続されるユニット側通風部４３を備え、後処理ユニット２０が、ユニット側通風部４３を通過する空気によりユニット側換気対象Ｂを換気するように構成されている。【選択図】        図１
2008304929.tif 000002
【特許請求の範囲】
【請求項１】
シートに画像を形成する装置本体と、前記装置本体に対して装着されて画像形成後のシートの後処理を行う後処理ユニットとを備え、
前記装置本体に、前記装置本体内の本体側換気対象を換気するためのファンを備えた画像形成装置であって、
前記装置本体に、外部の新鮮な空気を吸入する本体側吸入部と、前記ファンに対して前記本体側換気対象とダクトで隔てた状態で並列的に接続された本体側通風部を備え、
前記後処理ユニットに、外部の新鮮な空気を吸入するユニット側吸入部と、前記後処理ユニットが前記装置本体に対して装着された後処理ユニット装着状態において前記本体側通風部に接続されるユニット側通風部を備え、
前記装置本体が、前記本体側吸入部から吸入する空気により前記装置本体内の本体側換気対象を換気するように構成され、
前記後処理ユニットが、前記ユニット側吸入部から吸入し前記ユニット側通風部を通過する空気により前記後処理ユニット内のユニット側換気対象を換気するように構成されている画像形成装置。
【請求項２】
前記後処理ユニットが、前記装置本体に対して着脱自在に構成され、
前記後処理ユニットが前記装置本体に対して脱離された後処理ユニット脱離状態において、前記本体側通風部を閉鎖自在な閉鎖部材を備えた請求項１に記載の画像形成装置。
【請求項３】
前記閉鎖部材が、前記本体側通風部に揺動自在に設けられ、前記後処理ユニット脱離状態において前記本体側通風部を閉鎖するように付勢されているダンパ部材であり、
前記後処理ユニット装着状態において前記後処理ユニットの押圧部が前記ダンパ部材の被押圧部を押圧して前記本体側通風部を開放する開放手段を備えた請求項２に記載の画像形成装置。
【請求項４】
前記閉鎖部材が、前記本体側通風部に着脱自在に設けられ、前記本体側通風部に装着されて前記本体側通風部を閉鎖する栓部材であり、
前記栓部材が、前記本体側通風部に装着された状態で、前記後処理ユニット装着状態となることを禁止するように形成されている請求項２に記載の画像形成装置。
【請求項５】
前記後処理ユニットの前記装置本体に対する着脱状態を検出する着脱状態検出手段と、
前記着脱状態検出手段で前記後処理ユニット装着状態を検出したときの前記ファンの出力を、前記着脱状態検出手段で前記後処理ユニット脱離状態を検出したときの前記ファンの出力よりも大きく設定するファン出力設定手段とを備えた請求項２から４の何れか１項に記載の画像形成装置。
【発明の詳細な説明】
【技術分野】
【０００１】
本発明は、シートに画像を形成する装置本体と、前記装置本体に対して装着されて画像形成後のシートの後処理を行う後処理ユニットとを備え、
前記装置本体に、前記装置本体内の本体側換気対象を換気するためのファンを備えた画像形成装置に関する。
【背景技術】
【０００２】
複写機、プリンタ、ＦＡＸなどの画像形成装置は、用紙等のシートに画像を形成する装置本体を備え、その装置本体内において、作像プロセスにおいてシートに転写したトナー画像を、定着プロセスにおいて加熱してシートに定着させるように構成されている。
【０００３】
そして、このようなプロセスにより装置本体内に発生する熱は、トナーの再溶融による品質不良、シートのカールによる搬送不良、利用者が触れる可能性がある部位の過剰昇温による安全性不良等の問題を引き起こす要因となるため、装置本体には、熱が発生する部位を冷却するために、その部位を本体側換気対象として換気するファンが設けられている。
【０００４】
また、装置本体の小型化を図るために、画像形成後のシートのソーティング、ステイプリング、或いはパンチング等の後処理を行う後処理ユニットについては、必要に応じて上記装置本体に対して着脱できるように構成される場合がある。
【０００５】
このような後処理ユニットでも、定着プロセスが施された直後の比較的高温のシートが供給されるため、そのシートが保有する熱により上記装置本体と同様の問題が発生する恐れがあるので、後処理ユニット内の高温のシートが存在するユニット側換気対象も換気して冷却する必要がある。
【０００６】
また、ユニット側換気対象の換気を行うために、後処理ユニットにも専用のファンを設けることが考えられるが、ファンの追加により装置の大型化及びコスト高を招くことになり問題である。
【０００７】
そこで、装置の大型化及びコスト高を回避しつつユニット側換気対象の換気を行うことができる画像形成装置として、装置本体のファンが空気を排出する側を、後処理ユニットのユニット側換気対象に接続することで、ユニット側換気対象をファンに対して本体側換気対象と直列的に接続して、本体側換気対象から排出された空気をユニット側換気対象に通過させて、ユニット側換気対象の換気を行う画像形成装置が提案されている（例えば、特許文献１参照。）
【特許文献１】特開２００２−２４１０２２号公報
【発明の開示】
【発明が解決しようとする課題】
【０００８】
しかし、上記特許文献１に記載の画像形成装置は、ユニット側換気対象をファンに対して本体側換気対象と直列的に接続し、換気用の空気を本体側換気対象とユニット側換気対象との順に通過させるので、ユニット側換気対象には、本体側換気対象を通過した後の比較的高温の空気が供給されることになり、ユニット側換気対象を充分に冷却することができず、トナーの再溶融による品質不良、シートのカールによる搬送不良、利用者が触れる可能性がある部位の過剰昇温による安全性不良等の問題を防止できない場合があり、更に、本体側換気対象における飛散トナー等の塵を保有する空気がユニット側換気対象に供給され、ユニット側換気対象にあるシートが汚れるなどの問題が発生する恐れがある。
【０００９】
逆に、換気用の空気をユニット側換気対象と本体側換気対象との順に通過させた場合でも、本体側換気対象に、ユニット側換気対象を通過した後の比較的高温の空気が供給されることになり、本体側換気対象を充分に冷却することができない場合がある。
【００１０】
更に、本体側換気対象及びユニット側換気対処を充分に冷却するために、例えば、ユニット側換気対象をファンに対して本体側換気対象と直列的に接続した構成において、上記ファンの出力を増加させると、本体側換気対象及びユニット側換気対象における風速が大きくなるので、その風によりシートがばたついて搬送不良等を招くことが考えられる。
【００１１】
本発明は、上記の課題に鑑みてなされたものであり、その目的は、ファンの追加を伴うことなく本体側換気対象及びユニット側換気対象の両方を充分に換気して冷却することができる画像形成装置を提供する点にある。
【課題を解決するための手段】
【００１２】
上記目的を達成するための本発明に係る画像形成装置は、シートに画像を形成する装置本体と、前記装置本体に対して装着されて画像形成後のシートの後処理を行う後処理ユニットとを備え、前記装置本体に、前記装置本体内の本体側換気対象を換気するためのファンを備えた画像形成装置であって、その第１特長構成は、前記装置本体に、外部の新鮮な空気を吸入する本体側吸入部と、前記ファンに対して前記本体側換気対象とダクトで隔てた状態で並列的に接続された本体側通風部を備え、前記後処理ユニットに、外部の新鮮な空気を吸入するユニット側吸入部と、前記後処理ユニットが前記装置本体に対して装着された後処理ユニット装着状態において前記本体側通風部に接続されるユニット側通風部を備え、前記装置本体が、前記本体側吸入部から吸入する空気により前記装置本体内の本体側換気対象を換気するように構成され、前記後処理ユニットが、前記ユニット側吸入部から吸入し前記ユニット側通風部を通過する空気により前記後処理ユニット内のユニット側換気対象を換気するように構成されている点にある。
【００１３】
上記第１特徴構成によれば、装置本体に設けられた上記本体側通風部に、後処理ユニットに設けられた上記ユニット側通風部を接続することで、後処理ユニット内のユニット側換気対象が、装置本体に設けられたファンに対して、装置本体内の本体側換気対象とダクトで隔てた状態で並列的に接続されることになるので、本体側換気対象及びユニット側換気対象の両方を、両換気対象における風速を増加させることなく、新鮮な低温の空気により換気して充分に冷却することができる。
【００１４】
従って、上記第１特徴構成により、後処理ユニット専用のファンの追加を伴うことなく、本体側換気対象及びユニット側換気対象の両方を充分に換気して冷却することができる画像形成装置を実現することができる。
【００１５】
本発明に係る画像形成装置の第２特徴構成は、上記第１特徴構成に加えて、前記後処理ユニットが、前記装置本体に対して着脱自在に構成され、
前記後処理ユニットが前記装置本体に対して脱離された後処理ユニット脱離状態において、前記本体側通風部を閉鎖自在な閉鎖部材を備えた点にある。
【００１６】
上記第２特徴構成によれば、上記後処理ユニット脱離状態においては、装置本体に設けられたファンが本体側通風部に空気を通過させる必要がなくなるので、上記閉鎖部材により本体側通風部を閉鎖して、本体側通風部における通風を阻止することで、ファンによる本体側換気対象に対する換気効率を向上することができる。
【００１７】
本発明に係る画像形成装置の第３特徴構成は、上記第２特徴構成に加えて、前記閉鎖部材が、前記本体側通風部に揺動自在に設けられ、前記後処理ユニット脱離状態において前記本体側通風部を閉鎖するように付勢されているダンパ部材であり、
前記後処理ユニット装着状態において前記後処理ユニットの押圧部が前記ダンパ部材の被押圧部を押圧して前記本体側通風部を開放する開放手段を備えた点にある。
【００１８】
上記第３特徴構成によれば、後処理ユニット脱離状態においては、ダンパ部材を付勢して本体側通風部を閉鎖することができ、一方、後処理ユニット装着状態においては、上記開放手段により、後処理ユニットに設けられた凸部等の押圧部がそのダンパ部材の被押圧部を押圧してダンパ部材を上記付勢力に反して揺動させることにより、本体側通風部を自動的に開放して、後処理ユニットの装着作業を行う作業者のミス等によりダンパ部材が本体通風部を閉鎖したままとなって後処理ユニット内のユニット側換気対象の換気が行えないという問題を回避することができる。
【００１９】
尚、本発明に係る画像形成装置の第６特徴構成及びその作用効果は、上記第３特徴構成及びその作用効果と同様である。
【００２０】
本発明に係る画像形成装置の第４特徴構成は、上記第２特徴構成に加えて、前記閉鎖部材が、前記本体側通風部に着脱自在に設けられ、前記本体側通風部に装着されて前記本体側通風部を閉鎖する栓部材であり、
前記栓部材が、前記本体側通風部に装着された状態で、前記後処理ユニット装着状態となることを禁止するように形成されている点にある。
【００２１】
上記第４特徴構成によれば、後処理ユニット脱離状態においては、本体側通風部に栓部材を装着することにより本体側通風部を閉鎖することができ、一方、後処理ユニット装着状態においては、その栓部材の形状が本体側通風部に装着された状態で後処理ユニット装着状態となることを禁止するものであることから、後処理ユニットの装着作業を行う作業者は、忘れることなく、本体側通風部から栓部材を取り外して、体側通風部を開放した状態で、後処理ユニットを装置本体に装着するようになり、栓部材が本体通風部を閉鎖したままとなって後処理ユニット内のユニット側換気対象の換気が行えないという問題を回避することができる。
【００２２】
本発明に係る画像形成装置の第５特徴構成は、上記第２から第４の何れかの特徴構成に加えて、前記後処理ユニットの前記装置本体に対する着脱状態を検出する着脱状態検出手段と、
前記着脱状態検出手段で前記後処理ユニット装着状態を検出したときの前記ファンの出力を、前記着脱状態検出手段で前記後処理ユニット脱離状態を検出したときの前記ファンの出力よりも大きく設定するファン出力設定手段とを備えた点にある。
【００２３】
上記第５特徴構成によれば、本体側通風部が開放される後処理ユニット装着状態におけるファンの出力を、本体側通風部が閉鎖される後処理ユニット脱離状態におけるファンの出力よりも大きく設定することで、後処理ユニット装着状態においてはファンにより本体側換気対象及びユニット側換気対象の両方を充分に換気して冷却しながら、後処理ユニット脱離状態においては、ファンの出力をできるだけ小さくして、省エネルギ化を図ることができる。
【００２４】
尚、本発明に係る画像形成装置の第７特徴構成及びその作用効果は、上記第５特徴構成及びその作用効果と同様である。
【発明を実施するための最良の形態】
【００２５】
本発明に係る画像形成装置の実施の形態について、図面に基づいて説明する。
【００２６】
図１〜３に示すように、画像形成装置１００は、用紙等のシートＳに画像を形成する装置本体１０と、装置本体１０に対して装着されて画像形成後のシートＳの後処理を行うフィニッシャと呼ばれる後処理ユニット２０とを備えた複写機として構成されている。
【００２７】
尚、図１は、画像形成装置の概略構成及び換気状態を示す側断面図であり、図２は、画像形成装置の換気状態を示す平断面図であり、図３は、画像形成装置の換気状態を示す部分斜視図である。
【００２８】
装置本体１０には、給紙カセット１１から取り出したシートＳにトナー画像を転写する作像プロセスを行う作像部１２と、その作像部１２から排出されたシートＳを加熱してそのトナー画像を定着させる定着プロセスを行う定着部１３などが設けられおり、定着部１３を通過した画像形成後のシートＳが装置本体１０のシート排出部１４から排出される。尚、このような装置本体１０の構成は、通常の画像形成装置で採用される構成と変わることがなく、適宜改変することができる。
【００２９】
一方、後処理ユニット２０は、連結機構５により装置本体１０に対して脱着自在に構成され、上記装置本体１０のシート排出部１４から排出された画像形成後のシートＳをシート受入部２１に受け入れるように構成されている。
【００３０】
尚、上記連結機構５は、後処理ユニット２０に設けられたブラケットを装置本体１０側に螺子等により固定することで、後処理ユニット２０が装置本体１０に対して所定の位置に位置決めされた状態で装着されるように構成されている。
【００３１】
この後処理ユニット２０には、シートＳに穴を開ける所謂パンチングを行うパンチ部２２、シートＳを位置決めして積み重ねるスタック部２３、スタック部２３に積み重ねたシートＳを綴じる所謂ステイプリングを行うステイプル部２４、ステイプリング時に次のシートＳを退避させておく退避ローラ２５などが設けられており、装置本体１０側の制御部（図示せず）により作動制御されて、シート受入部２１に受け入れたシートＳに対して、適宜上記パンチングや上記ステイプリング等の後処理を施して、そのシートＳを排出トレイ２６に排出するように構成されている。尚、このような後処理ユニット２０の構成は、通常の画像形成装置で採用される構成と変わることがなく、適宜改変することができる。
【００３２】
更に、画像形成装置１００は、装置本体１０及び後処理ユニット２０における換気構造に特徴を有しており、その換気構造について説明を加える。
【００３３】
装置本体１０には、装置本体１０内の本体側換気対象Ａを換気するためのファン３０が設けられている。
【００３４】
尚、本実施形態では、熱が発生し冷却を要する部位である、作像部１２及び定着部１３を上記本体側換気対象Ａとし、その本体側換気対象Ａを集中して換気するように構成しているが、当然、他の部位や装置本体１０の内部全体を本体側換気対象Ａとしても構わない。
【００３５】
ファン３０は、装置本体１０の背面側に設置され、上記本体側換気対象Ａの空気を吸引し、その吸引した空気を排気ダクト３１側に排出するように構成されている。
【００３６】
詳しくは、装置本体１０の前面には、外部から本体側換気対象Ａに空気が流入するための本体側吸入部４７が設けられている。
【００３７】
また、装置本体１０の背面の上方には、本体側換気対象Ａから外部に空気が排出される開口部３５，３６が設けられており、この開口部３５，３６は、ダクト３３及びダクト３２を介してファン３０に接続されている。
【００３８】
従って、本体側吸入部４７から本体側換気対象Ａに流入した空気が、本体側換気対象Ａを通過することで、本体側換気対象Ａが換気されて充分に冷却されることになり、そして、本体側換気対象Ａを通過した後の比較的高温の空気は、ダクト３３及びダクト３２を順に通過して、ファン３０に到達し、排気ダクト３１を介して外部に排出されることになる。
【００３９】
更に、装置本体１０には、ファン３０に対して本体側換気対象Ａと並列的に接続された本体側通風部４１が設けられている。
【００４０】
詳しくは、装置本体１０の後処理ユニット２０が装着される側面（以下、本体側装着面と呼ぶ。）の上方には、２つの開口として形成された本体側通風部４１が設けられており、この本体側通風部４１は、ダクト３９により、装置本体１０の背面の上方に設けられた開口部３７に接続され、更にこの開口部３７は、前述の開口部３５，３６と同様に、ダクト３３及びダクト３２を介してファン３０に接続されている。
【００４１】
即ち、本体側通風部４１から装置本体１０内に流入した空気は、本体側換気対象Ａを通過することなく、ダクト３９、ダクト３３及びダクト３２を順に通過して、ファン３０に到達し、排気ダクト３１を介して外部に排出されることになる。
【００４２】
一方、後処理ユニット２０には、後処理ユニット２０が装置本体１０に対して装着された後処理ユニット装着状態において、本体側通風部４１に接続されるユニット側通風部４３が設けられている。詳しくは、後処理ユニット２０の装置本体１０に対して装着される側面（以下、ユニット側装着面と呼ぶ。）の上方には、２つの開口として形成されたユニット側通風部４３が設けられており、このユニット側通風部４３は、上記後処理ユニット装着状態において、本体側通風部４１に対向する位置となり、例えばその周辺がシール体４５などにより封鎖されることで、本体側通風部４１に連通することになる。
【００４３】
後処理ユニット２０のユニット側装着面の反対側の側面下方には、外部から後処理ユニット２０内のユニット側換気対象Ｂに空気が流入するためのユニット側吸入部４９が設けられている。
【００４４】
従って、ユニット側吸入部４９からユニット側換気対象Ｂに流入した空気が、ユニット側換気対象Ｂを通過することで、ユニット側換気対象Ｂが換気されて充分に冷却されることになり、そして、ユニット側換気対象Ｂを通過した後の比較的高温の空気は、後処理ユニット２０内の上部、ユニット側通風部４３及び本体側通風部４１を介して効率良く装置本体１０内に流入し、本体側換気対象Ａを通過することなく、ダクト３９、ダクト３３及びダクト３２を順に通過して、ファン３０に到達し、排気ダクト３１を介して、装置本体１０内部を暖めることなく、外部に排出されることになる。
【００４５】
尚、本実施形態では、冷却を要する部位である、後処理ユニット２０の内部全体を上記ユニット側換気対象Ｂとして換気するように構成しているが、当然、シートＳが搬送される部位などのように特定の部位をユニット側換気対象Ｂとして、そのユニット側換気対象Ｂを集中して換気するように構成しても構わない。
【００４６】
更に、画像形成装置１００は、後処理ユニット２０の装置本体１０に対する着脱状態を検出する着脱状態検出手段５７を備える。
【００４７】
詳しくは、この着脱状態検出手段５７は、装置本体１０に設けられ後処理ユニット２０側に突出する作動部を有するスイッチ素子で構成され、後処理ユニット装着状態においてこのスイッチが操作されることにより、後処理ユニット２０の装置本体１０に対する着脱状態を検出することができる。
【００４８】
尚、この着脱状態検出手段５７は、上記のようなスイッチ素子ではなく、例えば、後処理ユニット２０と装置本体１０との信号線の接続状態を検出したり、装置本体１０の制御部において後処理ユニット２０の作動制御を行うように設定されたことを認識することでも、後処理ユニット２０の装置本体１０に対する着脱状態を検出することができる。
【００４９】
更に、画像形成装置１００には、着脱状態検出手段５７で後処理ユニット装着状態を検出したときのファン３０の出力（即ち送風量）を、着脱状態検出手段５７で後処理ユニット脱離状態を検出したときのファン３０の出力よりも大きく設定するファン出力設定手段５８が設けられており、このファン出力設定手段５８により、処理ユニット装着状態においてはファン３０により本体側換気対象Ａ及びユニット側換気対象Ｂの両方を充分に換気して冷却しながら、後処理ユニット脱離状態においては、ファン３０の出力をできるだけ小さくして、省エネルギ化を図ることができる。
【００５０】
尚、このファン出力設定手段５８は、装置本体１０の制御部を構成するコンピュータが所定のプログラムを実行することにより機能する手段である。
【００５１】
更に、画像形成装置１００は、後処理ユニット２０が装置本体１０に対して脱離された後処理ユニット脱離状態において、本体側通風部４１を閉鎖し、更に、後処理ユニット２０が装置本体１０に対して装着された後処理ユニット装着状態において、本体側通風部４１を開放する開閉機構５０を備えており、図４〜６を参照して、その開閉機構５０の詳細構成について説明を加える。
【００５２】
尚、図４は、開閉機構５０の概略構成を示す部分斜視図であり、図５は、開閉機構５０が本体側通風部４１を閉鎖した状態を示す立面図（ａ）及び側面図（ｂ）であり、図６は、開閉機構５０が本体側通風部４１を開放した状態を示す立面図（ａ）及び側面図（ｂ）である。
【００５３】
開閉機構５０は、後処理ユニット脱離状態において本体側通風部４１を閉鎖自在な閉鎖部材として、本体側通風部４１に揺動自在に設けられ、且つ、後処理ユニット脱離状態において本体側通風部４１を閉鎖するように付勢されている複数の羽板からなるダンパ部材５１を並設して、所謂ルーバ構造に構成されている。
【００５４】
更に、ダンパ部材５１を構成する羽板の揺動軸を基端とした先端部は、本体側通風部４１を構成する２つの開口の中央部の装置本体１０の内側に設けられたブラケット５２に回動自在に接続されており、このブラケット５２が装置本体１０の壁部１６の内面に対して接する状態と離間する状態とに変位することで、ダンパ部材５１は本体側通風部を閉鎖する状態と開放する状態とに変位するように構成されている。
【００５５】
更に、図５に示すように、このブラケット５２は、下方に設けられたばね部材５３により、ブラケット５２が壁部１６の内面に対して接する状態に付勢されており、これにより、ダンパ部材５１は本体側通風部４１を閉鎖する状態に付勢されることになる。
【００５６】
更に、装置本体１０の壁部１６の上記ブラケット５２が設けられている位置には、円形の挿入口５４が穿設されており、一方、後処理ユニット２０には、後処理ユニット装着状態において、上記挿入口５４に挿入される挿入棒５６が設けられている。
【００５７】
そして、図６に示すように、後処理ユニット装着状態において、挿入口５４に挿入棒５６が挿入されることで、ブラケット５２が、上記ばね部材５３による付勢力に反して、装置本体１０の内面に対して離間する状態に変位し、ダンパ部材５１が本体側通風部４１を開放する状態に変位することになる。
【００５８】
即ち、このようなブラケット５２、及び、挿入棒５６が、後処理ユニット装着状態において後処理ユニット２０の押圧部としての挿入棒５６がダンパ部材５１の被押圧部としてのブラケット５２を押圧して本体側通風部４１を開放する開放手段といえる。
【００５９】
尚、開放手段の構成は、上記挿入棒５６及び上記ブラケット５２の構成以外に、例えば、ブラケット５２に後処理ユニット２０側に突出する押し棒を被押圧部として設け、後処理ユニット２０の外壁等の押圧部により、その被押圧部を押圧する構成などのように、他の構成を採用しても構わない。
【００６０】
従って、このような開閉機構５０により、後処理ユニット脱離状態においては、ばね部材５３によりダンパ部材５１を付勢して本体側通風部４１を閉鎖することができ、一方、後処理ユニット装着状態においては、挿入棒５６及びブラケット５２からなる開放手段により、本体側通風部４１を自動的に開放して、ユニット側換気対象Ｂの換気が行える状態とすることができる。
【００６１】
尚、上記開閉機構５０は、自動的に本体側通風部４１を開閉する構成としたが、別に、手動で本体側通風部４１を開閉する構成としても構わない。
【００６２】
更に、図７を参照して、画像形成装置１００は、上記開閉機構５０を設けることなく、後処理ユニット脱離状態において本体側通風部４１を閉鎖自在な閉鎖部材として、本体側通風部４１に着脱自在に設けられ、本体側通風部４１に装着されて本体側通風部４１を閉鎖する栓部材５５を設けても構わず、この栓部材５５の詳細構成について説明を加える。
【００６３】
尚、図７は、本体側通風部４１に栓部材５５を装着した状態を示す部分斜視図である。
【００６４】
上記栓部材５５は、後処理ユニット脱離状態において、装置本体１０の外側から本体側通風部４１に装着され、本体側通風部４１を閉鎖するように構成されている。
【００６５】
更に、この栓部材５５の幅Ｔは、後処理ユニット装着状態における後処理ユニット２０と装置本体１０との間の隙間の幅よりも大きく設定されており、このことにより、栓部材５５が本体側通風部４１に装着された状態で、後処理ユニット装着状態となることが禁止されている。
【００６６】
従って、後処理ユニット２０を装置本体１０に装着する場合には、必ずこの栓部材５５が本体側通風部４１から取り外されることになり、後処理ユニット装着状態において、栓部材５５が本体通風部４１を閉鎖したままとなって後処理ユニット２０内のユニット側換気対象Ｂの換気が行えないという問題が回避されている。
【図面の簡単な説明】
【００６７】
【図１】画像形成装置の概略構成及び換気状態を示す側断面図
【図２】画像形成装置の換気状態を示す平断面図
【図３】画像形成装置の換気状態を示す部分斜視図
【図４】開閉機構の概略構成を示す部分斜視図
【図５】開閉機構が本体側通風部を閉鎖した状態を示す立面図（ａ）及び側面図（ｂ）
【図６】開閉機構が本体側通風部を開放した状態を示す立面図（ａ）及び側面図（ｂ）
【図７】本体側通風部に栓部材を装着した状態を示す部分斜視図
【符号の説明】
【００６８】
５：連結機構
１０：装置本体
２０：後処理ユニット
３０：ファン
３１：排気ダクト
３２，３３，３９：ダクト
３５，３６，３７：開口部
４１：本体側通風部
４３：ユニット側通風部
４７：本体側吸入部
４９：ユニット側吸入部
５０：開閉機構
５１：ダンパ部材
５３：ばね部材
５４：挿入口
５５：栓部材
５６：挿入棒
５７：着脱状態検出手段
５８：ファン出力設定手段
１００：画像形成装置
Ａ：本体側換気対象
Ｂ：ユニット側換気対象
Ｓ：シート
【図１】
2008304929.tif 000003
【図２】
2008304929.tif 000004
【図３】
2008304929.tif 000005
【図４】
2008304929.tif 000006
【図５】
2008304929.tif 000007
【図６】
2008304929.tif 000008
【図７】
2008304929.tif 000009